(57)【要約】【課題】蒸気加熱設備を有する工場などの温度制御システムにおいて、ヒートポンプによる加熱設備を容易に導入する。【解決手段】温度制御設備（1）は、ボイラ（30）で生成された加熱蒸気が蒸気供給ライン（34）を介して供給される蒸気熱交換器（31）と、冷凍サイクルによって水を冷媒と熱交換させて加熱することで温水を生成するヒートポンプ（5）と、加熱蒸気に代えてヒートポンプ（5）で生成された温水を蒸気熱交換器（31）に供給する温水供給ライン（53）とを備え、恒温槽（17）内の水を蒸気熱交換器（31）を流れる温水と熱交換させて加熱するよう構成されている。【選択図】図１
2014009908.tif 000002
【特許請求の範囲】
【請求項１】
蒸気生成装置（30）で生成された加熱蒸気が流れる蒸気供給ライン（34）と、蒸気圧縮式冷凍サイクルを行うヒートポンプ（5）で生成された温水が流れる温水供給ライン（53）と、加熱対象が加熱される蒸気熱交換器（31）とを備え、
上記蒸気熱交換器（31）は、上記蒸気供給ライン（34）を流れる加熱蒸気と上記温水供給ライン（53）を流れる温水とが切り換えられて供給されると共に、該供給された加熱蒸気又は温水によって加熱対象が加熱されるよう構成されている
ことを特徴とする温度制御システム。
【請求項２】
請求項１において、
上記温水供給ライン（53）は、出口端が上記蒸気供給ライン（34）における蒸気熱交換器（31）の流入側に接続されて上記ヒートポンプ（5）で生成された温水を上記蒸気熱交換器（31）に供給するよう構成されている
ことを特徴とする温度制御システム。
【請求項３】
請求項１又は２において、
入口端が上記蒸気熱交換器（31）の流出側に接続される一方、出口端が上記ヒートポンプ（5）の流入側に接続され、温水が供給された時、上記蒸気熱交換器（31）で熱交換を行った温水を上記ヒートポンプ（5）に戻す温水戻りライン（55）を備えている
ことを特徴とする温度制御システム。
【請求項４】
請求項３において、
上記蒸気熱交換器（31）の流出側に接続され、加熱蒸気が供給された時、蒸気熱交換器（31）から流出させた蒸気又は水を排出させる蒸気排出ライン（38）を備えている
ことを特徴とする温度制御システム。
【請求項５】
請求項４において、
上記温水戻りライン（55）には温水側バルブ（61）が設けられる一方、上記蒸気排出ライン（38）には蒸気側バルブ（40）が設けられ、
上記蒸気熱交換器（31）への供給を温水から加熱蒸気に切り換える際は、上記温水側バルブ（61）が閉じられた後、上記蒸気側バルブ（40）が開けられるよう構成されている
ことを特徴とする温度制御システム。
【請求項６】
請求項４において、
上記温水戻りライン（55）には温水側バルブ（61）が設けられる一方、上記蒸気排出ライン（38）には蒸気側バルブ（40）が設けられ、
上記蒸気熱交換器（31）への供給を加熱蒸気から温水に切り換える際は、上記蒸気側バルブ（40）が閉じられた後、上記温水側バルブ（61）が開けられるよう構成されている
ことを特徴とする温度制御システム。
【請求項７】
請求項６において、
上記蒸気熱交換器（31）への供給を加熱蒸気から温水に切り換える際、上記温水側バルブ（61）が開いた後に、上記温水戻りライン（55）へ給水を行う給水器（90）を備えている
ことを特徴とする温度制御システム。
【請求項８】
請求項１〜７の何れか１つにおいて、
上記蒸気供給ライン（34）の加熱蒸気の流れを調節する蒸気調節弁（37）と、上記温水供給ライン（53）の温水の流れを調節する温水調節弁（62）を備え、
上記加熱対象の温度に基づいて上記蒸気調節弁（37）および温水調節弁（62）の開閉を調節して上記蒸気熱交換器（31）への加熱蒸気又は温水の供給を切り換える切換制御部（6）を備えている
ことを特徴とする温度制御システム。
【請求項９】
請求項８において、
上記切換制御部（6）は、加熱対象の温度が下限温度（ＴＬ）未満の場合、上記温水調節弁（62）を閉め、且つ上記蒸気調節弁（37）を開けて上記蒸気熱交換器（31）に加熱蒸気を供給するよう構成されている
ことを特徴とする温度制御システム。
【請求項１０】
請求項９において、
上記切換制御部（6）は、加熱対象の温度が上限温度（ＴＨ）よりも低い第１切換温度（Ｔ１）以上となった場合、上記温水調節弁（62）を開け、且つ上記蒸気調節弁（37）を閉じて上記蒸気熱交換器（31）に温水を供給するように構成されている
ことを特徴とする温度制御システム。
【請求項１１】
請求項１０において、
上記切換制御部（6）は、加熱対象の温度が下限温度（ＴＬ）よりも高い第２切換温度（Ｔ２）未満となって所定時間が経過した場合、上記温水調節弁（62）を閉じ、且つ上記蒸気調節弁（37）を開けて上記蒸気熱交換器（31）に加熱蒸気を供給するように構成されている
ことを特徴とする温度制御システム。
【請求項１２】
請求項１１において、
上記切換制御部（6a）は、上記加熱対象の温度が上記第２切換温度（Ｔ２）未満となる前の温度低下度合いが大きいほど上記所定時間を短くするよう構成されている
ことを特徴とする温度制御システム。
【発明の詳細な説明】
【技術分野】
【０００１】
本発明は、温度制御システムに関し、特に、省エネルギー化対策に係るものである。
【背景技術】
【０００２】
従来より、特許文献１に示すように、製品を製造する工場においては、ボイラ等で発生させた高温の蒸気を、洗浄機や乾燥機等（以下、負荷機器）の加熱源として利用している。図９に示すように、この種の加熱設備（e）としては、ボイラ（a）で発生させた高温蒸気を熱交換器（b）に供給して、恒温槽（c）の水を加熱して、製品（d）の洗浄などに使用している。ところが、ボイラによる高温蒸気による加熱は、高温蒸気を恒温槽（c）へ搬送する際、配管における圧損、熱損、およびドレン排熱などが発生するため、効率よく行うことができないという問題があった。
【先行技術文献】
【特許文献】
【０００３】
【特許文献１】特開２００３−１９４４０５号公報
【発明の概要】
【発明が解決しようとする課題】
【０００４】
ところで、冷凍サイクルを利用して温水等を生成するヒートポンプが知られている。この種のヒートポンプでは、低温部分から高温部分へ熱を移動させることができるため、ボイラに比べて熱効率よく温水等を生成することができる。
【０００５】
しかしながら、工場などにおいて既に蒸気加熱による設備を導入している場合、ヒートポンプによる加熱設備を新たに導入するには設備投資が過大となってしまうという問題があった。
【０００６】
本発明は、斯かる点に鑑みてなされたものであり、蒸気加熱設備を有する工場などの温度制御システムにおいて、ヒートポンプによる加熱設備を容易に導入することを目的とする。
【課題を解決するための手段】
【０００７】
第１の発明は、蒸気生成装置（30）で生成された加熱蒸気が流れる蒸気供給ライン（34）と、蒸気圧縮式冷凍サイクルを行うヒートポンプ（5）で生成された温水が流れる温水供給ライン（53）と、加熱対象が加熱される蒸気熱交換器（31）とを備え、上記蒸気熱交換器（31）は、上記蒸気供給ライン（34）を流れる加熱蒸気と上記温水供給ライン（53）を流れる温水とが切り換えられて供給されると共に、該供給された加熱蒸気又は温水によって加熱対象が加熱されるよう構成されている。
【０００８】
上記第１の発明では、蒸気生成装置（30）で加熱蒸気を生成し、該加熱蒸気は蒸気供給ライン（34）を流れる。ヒートポンプ（5）では、蒸気圧縮式冷凍サイクルによって水と冷媒が熱交換し、温水が生成される。生成された温水は、温水供給ライン（53）を流れる。蒸気供給ライン（34）を流れる加熱蒸気と上記温水供給ライン（53）を流れる温水とを切り換えて蒸気熱交換器（31）に供給する。そして、蒸気が供給された蒸気熱交換器（31）では、蒸気と加熱対象が熱交換し、加熱対象が加熱される。また、温水が供給された蒸気熱交換器（31）では、温水と加熱対象が熱交換し、加熱対象が加熱される。
【０００９】
第２の発明は、上記第１の発明において、上記温水供給ライン（53）は、出口端が上記蒸気供給ライン（34）における蒸気熱交換器（31）の流入側に接続されて上記ヒートポンプ（5）で生成された温水を上記蒸気熱交換器（31）に供給するよう構成されている。
【００１０】
上記第２の発明では、蒸気熱交換器（31）の流入側に温水供給ライン（53）が接続されており、蒸気熱交換器（31）の流入側において熱源となる加熱蒸気と温水の供給が切り換えられる。
【００１１】
第３の発明は、上記第１又は第２の発明において、入口端が上記蒸気熱交換器（31）の流出側に接続される一方、出口端が上記ヒートポンプ（5）の流入側に接続され、温水が供給された時、上記蒸気熱交換器（31）で熱交換を行った温水を上記ヒートポンプ（5）に戻す温水戻りライン（55）を備えている。
【００１２】
上記第３の発明では、温水が供給された時、蒸気熱交換器（31）で熱交換した温水は温水戻りライン（55）を流れて再びヒートポンプ（5）に戻る。
【００１３】
第４の発明は、上記第３の発明において、上記蒸気熱交換器（31）の流出側に接続され、加熱蒸気が供給された時、蒸気熱交換器（31）から流出させた蒸気又は水を排出させる蒸気排出ライン（38）を備えている。
【００１４】
上記第４の発明では、加熱蒸気が供給された時、蒸気熱交換器（31）から流出した蒸気又は水は蒸気排出ライン（38）を流れて排出される。
【００１５】
第５の発明は、上記第４の発明において、上記温水戻りライン（55）には温水側バルブ（61）が設けられる一方、上記蒸気排出ライン（38）には蒸気側バルブ（40）が設けられ、上記蒸気熱交換器（31）への供給を温水から加熱蒸気に切り換える際は、上記温水側バルブ（61）が閉じられた後、上記蒸気側バルブ（40）が開けられるよう構成されている。
【００１６】
上記第５の発明では、蒸気熱交換器（31）への供給を温水から加熱蒸気に切り換える際は、まず、温水側バルブ（61）が閉じられ、その後、蒸気側バルブ（40）が開けられる。こうすることで、蒸気熱交換器（31）に残存する温水が、供給される加熱蒸気によって押し出される。蒸気熱交換器（31）から押し出された温水は、蒸気排出ライン（38）から排出される。
【００１７】
第６の発明は、上記第４の発明において、上記温水戻りライン（55）には温水側バルブ（61）が設けられる一方、上記蒸気排出ライン（38）には蒸気側バルブ（40）が設けられ、上記蒸気熱交換器（31）への供給を加熱蒸気から温水に切り換える際は、上記蒸気側バルブ（40）が閉じられた後、上記温水側バルブ（61）が開けられるよう構成されている。
【００１８】
上記第６の発明では、蒸気熱交換器（31）への供給を加熱蒸気から温水に切り換える際は、まず、蒸気側バルブ（40）が閉じられ、その後、温水側バルブ（61）が開けられる。
【００１９】
第７の発明は、上記第６の発明において、上記蒸気熱交換器（31）への供給を加熱蒸気から温水に切り換える際、上記温水側バルブ（61）が開いた後に、上記温水戻りライン（55）へ給水を行う給水器（90）を備えている。
【００２０】
上記第７の発明では、蒸気熱交換器（31）への供給を加熱蒸気から温水に切り換える際は、まず、蒸気側バルブ（40）が閉じられ、その後、温水側バルブ（61）が開けられる。温水側バルブ（61）が開いた後、給水器（90）は温水戻りライン（55）に蒸気熱交換器（31）に残留する水蒸気分に相当する水を給水する。
【００２１】
第８の発明は、上記第１〜第７の発明の何れか１つにおいて、上記蒸気供給ライン（34）の加熱蒸気の流れを調節する蒸気調節弁（37）と、上記温水供給ライン（53）の温水の流れを調節する温水調節弁（62）を備え、上記加熱対象の温度に基づいて上記蒸気調節弁（37）および温水調節弁（62）の開閉を調節して上記蒸気熱交換器（31）への加熱蒸気又は温水の供給を切り換える切換制御部（6）を備えている。
【００２２】
上記第８の発明では、切換制御部（6）は、加熱対象の温度に応じて蒸気熱交換器（31）への加熱蒸気又は温水の供給を切り換える。加熱対象の温度が高ければ、温水調節弁（62）を所定量開けて蒸気調節弁（37）を閉じて蒸気熱交換器（31）に必要な量の温水を供給する。また、加熱対象の温度が低ければ、温水調節弁（62）を閉じて蒸気調節弁（37）を所定量開けて蒸気熱交換器（31）に必要な量の加熱蒸気を供給する。
【００２３】
第９の発明は、上記第８の発明において、上記切換制御部（6）は、加熱対象の温度が下限温度（ＴＬ）未満の場合、上記温水調節弁（62）を閉め、且つ上記蒸気調節弁（37）を開けて上記蒸気熱交換器（31）に加熱蒸気を供給するよう構成されている。
【００２４】
上記第９の発明では、加熱対象の温度が下限温度（ＴＬ）未満の場合、蒸気熱交換器（31）に加熱蒸気を供給する。つまり、加熱対象の温度が下限温度（ＴＬ）未満の場合は、加熱対象を急速に加熱する必要がある。このため、蒸気熱交換器（31）において加熱対象を加熱蒸気と熱交換させて加熱し、迅速に加熱対象を加熱する。
【００２５】
第１０の発明は、上記第９の発明において、上記切換制御部（6）は、加熱対象の温度が上限温度（ＴＨ）よりも低い第１切換温度（Ｔ１）以上となった場合、上記温水調節弁（62）を開け、且つ上記蒸気調節弁（37）を閉じて上記蒸気熱交換器（31）に温水を供給するように構成されている。
【００２６】
上記第１０の発明では、加熱対象の温度が、加熱対象の上限温度（ＴＨ）よりも低い第１切換温度（Ｔ１）以上となった場合、蒸気熱交換器（31）に温水を供給する。つまり、加熱対象の温度が、第１切換温度（Ｔ１）以上となった場合は、加熱対象を急速に加熱する必要がない。この場合、熱効率のよいヒートポンプ（5）による温水加熱に切り換わることになる。また、第１切換温度（Ｔ１）を上限温度（ＴＨ）よりも低くすることで、加熱対象温度が上限温度（ＴＨ）よりも高くなってしまうのを防止している。
【００２７】
第１１の発明は、上記第１０の発明において、上記切換制御部（6）は、加熱対象の温度が下限温度（ＴＬ）よりも高い第２切換温度（Ｔ２）未満となって所定時間が経過した場合、上記温水調節弁（62）を閉じ、且つ上記蒸気調節弁（37）を開けて上記蒸気熱交換器（31）に加熱蒸気を供給するように構成されている。
【００２８】
上記第１１の発明では、加熱対象の温度が下限温度（ＴＬ）よりも高い第２切換温度（Ｔ２）未満となって所定時間が経過した場合、蒸気熱交換器（31）に加熱蒸気を供給する。つまり、加熱対象の温度が第２切換温度（Ｔ２）よりも下がった場合、加熱対象を急速に加熱する必要がある。このため、蒸気熱交換器（31）において加熱対象を加熱蒸気と熱交換させて加熱する。こうすることで、迅速に加熱対象を加熱することができる。また、第２切換温度（Ｔ２）を下限温度（ＴＬ）よりも高くすることで、温水加熱を行うことにより、加熱対象温度が下限温度（ＴＬ）よりも低くなるのを防止している。また、加熱対象の温度が第２切換温度（Ｔ２）未満となってから所定時間を経過させるようにしたため、熱効率のよいヒートポンプ（5）による温水加熱を続けることができる。また、蒸気熱交換器（31）に加熱蒸気を供給することで、加熱対象の温度が急激に上昇するのを防止することができる。
【００２９】
第１２の発明は、上記第１１の発明において、上記切換制御部（6a）は、上記加熱対象の温度が上記第２切換温度（Ｔ２）未満となる前の温度低下度合いが大きいほど上記所定時間を短くするよう構成されている。
【００３０】
上記第１２の発明では、加熱対象の温度が第２切換温度（Ｔ２）未満となる前の温度低下度合いが大きいと、加熱対象の温度が下がり易くなる。この場合、所定時間を短くし、加熱蒸気を蒸気熱交換器（31）へ供給し易くする。一方、加熱対象の温度が第２切換温度（Ｔ２）未満となる前の温度低下度合いが小さいと、加熱対象の温度の下がりがゆるやかと判断し、所定時間を長くして、できるだけ熱効率のよいヒートポンプ（5）による温水加熱を継続させるようにする。
【発明の効果】
【００３１】
上記第１の発明によれば、蒸気生成装置（30）の加熱蒸気とヒートポンプ（5）の温水とを切り換えて蒸気熱交換器（31）に供給したため、蒸気熱交換器（31）において加熱蒸気又は温水によって加熱対象を加熱することができる。これにより、既存の蒸気加熱装置（3）に対し、ヒートポンプ（5）を利用することができる。この結果、熱交換器を新たに設置する必要がなく、新たな設備投資を出来る限り抑えつつ、熱効率のよいヒートポンプ（5）による温水加熱を行うことができる。
【００３２】
上記第２の発明によれば、温水供給ライン（53）の出口端を蒸気供給ライン（34）に設けたため、蒸気供給ライン（34）を流れる加熱蒸気と温水供給ライン（53）を流れる温水を蒸気熱交換器（31）の流入側で切り換えることができる。
【００３３】
上記第３の発明によれば、蒸気熱交換器（31）の流出側に温水戻りライン（55）を設けたため、蒸気熱交換器（31）に温水が供給された場合は、蒸気熱交換器（31）で熱交換した温水を温水戻りライン（55）からヒートポンプ（5）に戻すことができる。
【００３４】
上記第４の発明によれば、蒸気熱交換器（31）の流出側に蒸気排出ライン（38）を設けたため、蒸気熱交換器（31）に加熱蒸気が供給された場合は、蒸気熱交換器（31）から排出される蒸気又は水を蒸気排出ライン（38）から排出させることができる。
【００３５】
上記第５の発明によれば、蒸気熱交換器（31）への供給を温水から加熱蒸気に切り換える際、温水側バルブ（61）を閉じてから蒸気側バルブ（40）を開けるようにしたため、温水戻りライン（55）に蒸気が混入することなく、蒸気熱交換器（31）に残った温水を加熱蒸気によって蒸気排出ライン（38）に排出することができる。
【００３６】
上記第６の発明によれば、蒸気熱交換器（31）への供給を加熱蒸気から温水に切り換える際、蒸気側バルブ（40）を閉じてから温水側バルブ（61）を開けるようにしたため、蒸気熱交換器（31）で熱交換した温水を蒸気排出ライン（38）から流出させることなく、確実に温水戻りライン（55）からヒートポンプ（5）に戻すことができる。
【００３７】
上記第７の発明によれば、蒸気熱交換器（31）への供給を加熱蒸気から温水に切り換える際、ヒートポンプ（5）へ給水するようにしたため、蒸気熱交換器（31）への温水の供給によるヒートポンプ（5）で加熱する場合の水不足を防止することができる。ここで、加熱蒸気供給後の蒸気熱交換器（31）に温水を供給する際、蒸気熱交換器（31）に蒸気が残っていると、温水供給ライン（53）および温水戻りライン（55）の温水が不足し、ポンプなどに気体が送られることで不具合が発生する場合がある。ところが、本発明では、温水戻りライン（55）へ給水するようにしたため、ヒートポンプ（5）で加熱する場合において温水が不足するのを防止できる。
【００３８】
上記第８の発明によれば、切換制御部（6）を設けたため、加熱対象の温度に応じて蒸気熱交換器（31）への温水又は加熱蒸気の供給を切り換えることができる。これにより、加熱対象の温度に応じた適切な加熱を行うことができる。この結果、工場などの温度制御システムにおいて、熱効率のよいヒートポンプ（5）による温水加熱を行うと共に、急速な加熱要求にも適切に対応することができる。
【００３９】
上記第９の発明によれば、加熱対象の温度が下限温度（ＴＬ）未満の場合、蒸気熱交換器（31）に加熱蒸気を供給するようにしたため、加熱蒸気によって加熱対象を迅速に加熱することができる。これにより、工場などの温度制御システムにおいて、熱効率のよいヒートポンプ（5）による温水加熱を行うと共に、急速な加熱要求にも適切に対応することができる。
【００４０】
上記第１０の発明によれば、加熱対象の温度が第１切換温度（Ｔ１）以上になった場合、蒸気熱交換器（31）に温水を供給するようにしたため、熱効率のよいヒートポンプ（5）による温水加熱を行うことができる。また、第１切換温度（Ｔ１）を上限温度（ＴＨ）よりも低くすることで、急速な加熱が必要がなくなると、すぐに、熱効率のよいヒートポンプ（5）による温水加熱に切り換わることになる。これらにより、工場などの温度制御システムにおいて、熱効率のよいヒートポンプ（5）による温水加熱を増やすことができると共に、急速な加熱要求にも適切に対応することができる。
【００４１】
上記第１１の発明によれば、加熱対象の温度が下限温度（ＴＬ）よりも高い第２切換温度（Ｔ２）未満となって所定時間が経過した場合、蒸気熱交換器（31）に加熱蒸気を供給するようにしたため、加熱蒸気によって加熱対象を迅速に加熱することができる。また、第２切換温度（Ｔ２）を下限温度（ＴＬ）よりも高くすることで、温水で加熱を続けることにより加熱対象温度が下限温度（ＴＬ）よりも低くなるのを防止することができる。また、所定時間を経過させるようにしたため、過度的な温度低下によってすぐに加熱蒸気の供給に切り換えることがなくなり、熱効率のよいヒートポンプ（5）による温水加熱を継続させることができる。また、第２切換温度（Ｔ２）未満となった直後に蒸気熱交換器（31）に加熱蒸気を供給することで、加熱対象が急激に温度上昇するのを防止することができる。これらにより、工場などの温度制御システムにおいて、熱効率のよいヒートポンプ（5）による温水加熱を増やすことができると共に、急速な加熱要求にも適切に対応することができる。
【００４２】
上記第１２の発明によれば、加熱対象の温度が第２切換温度（Ｔ２）未満となる前の温度低下度合いが大きいほど所定時間を短くしたため、加熱対象の温度低下度合いが大きい場合、蒸気熱交換器（31）に加熱蒸気を供給して迅速に加熱対象を加熱することができる。一方、加熱対象の温度低下度合いが小さい場合に蒸気熱交換器（31）への温水供給を継続することができる。これらにより、工場などの温度制御システムにおいて、熱効率のよいヒートポンプ（5）による温水加熱を増やすことができると共に、急速な加熱要求にも適切に対応することができる。
【図面の簡単な説明】
【００４３】
【図１】本実施形態１に係る温度制御設備を示す配管系統図である。
【図２】本実施形態１に係るヒートポンプを示す配管系統図である。
【図３】本実施形態２に係る温度制御設備の温水供給を示す配管系統図である。
【図４】本実施形態２に係る温度制御設備の加熱蒸気供給を示す配管系統図である。
【図５】本実施形態２に係る切換制御を示すフローチャート図である。
【図６】本実施形態２に係る恒温槽内の水温の推移を示すグラフである。
【図７】本実施形態３に係る温度制御設備を示す配管系統図である。
【図８】その他の実施形態に係る温度制御設備を示す配管系統図である。
【図９】従来例に係る温度制御設備を示す配管系統図である。
【発明を実施するための形態】
【００４４】
以下、本発明の実施形態を図面に基づいて詳細に説明する。
【００４５】
〈発明の実施形態１〉
本実施形態１は、図１に示すように、工場内の温度制御設備（1）に対して、本発明の温度制御システムを適用したものである。この温度制御設備（1）は、製品の製造装置（2）と、蒸気加熱装置（3）と、ヒートポンプ（5）と、給水器（90）とを備えている。尚、製造装置（2）で製造される製品は例示であって、これに限られるものではない。
【００４６】
（製造装置の構成）
上記製造装置（2）は、製品となる前の半製品（7）を洗浄および皮膜するための一連の装置である。製造装置（2）は、半製品（7）を水平移動（図１では右から左）させる移動装置（図示なし）と、第１〜第６ユニット（11〜16）を備えている。移動装置は、例示としてベルトコンベアで構成されている。
【００４７】
上記各ユニット（11〜16）は、恒温槽（17）と、吸水管（18）と、吸水ポンプ（19）と、噴霧器（20）と、配水管（21）とを備えている。各ユニット（11〜16）は、図１の右から左に向かって第１ユニット（11）、第６ユニット（16）、第２ユニット（12）、第３ユニット（13）、第４ユニット（14）、第５ユニット（15）の順に配置されている。第１ユニット（11）は半製品（7）を脱脂する工程に使用され、第６ユニット（16）は半製品を水洗いする工程に使用され、第２ユニット（12）は半製品（7）を第１湯洗する工程に使用され、第３ユニット（13）は半製品（7）を第２湯洗する工程に使用され、第４ユニット（14）は半製品（7）を第３湯洗する工程に使用され、第５ユニット（15）は半製品（7）を皮膜する工程に使用される。
【００４８】
上記恒温槽（17）は、本発明に係る加熱対象を構成する水が貯留されている。また、第１〜第５ユニット（11〜15）の恒温槽（17）には、その内部に後述する蒸気熱交換器（31）が配置されている。蒸気熱交換器（31）が配置された恒温槽（17）では、貯留された水が蒸気熱交換器（31）を流れる加熱流体と熱交換することで、約５５℃程度まで加熱される。尚、本発明に係る加熱対象は、水に限られるものではない。
【００４９】
上記吸水管（18）は、一端が恒温槽（17）の内部に開口する一方、他端が恒温槽（17）から上方に延びて噴霧器（20）に取り付けられている。吸水管（18）には、吸水ポンプ（19）が設けられている。上記噴霧器（20）は、吸水管（18）の他端に取り付けられる。噴霧器（20）の噴霧口は、下方に向けられる。上記恒温槽（17）内で生成された温水又は水は、吸水ポンプ（19）によって吸水管（18）に送られた後、噴霧器（20）から半製品（7）に向かって噴霧される。
【００５０】
（蒸気加熱装置の構成）
上記蒸気加熱装置（3）は、ボイラ（30）と、蒸気供給ライン（34）と、５台の蒸気熱交換器（31）と、蒸気排出ライン（38）と、蒸気トラップ（39）とを備えている。
【００５１】
上記ボイラ（30）は、高温蒸気を生成する蒸気発生手段を構成している。本実施形態１では、約１５０℃の高温蒸気を生成するよう構成されている。蒸気供給ライン（34）は、入口端がボイラ（30）に接続される一方、出口端が５つの蒸気管（36〜36）に分岐している。蒸気供給ライン（34）には、蒸気弁（35）が設けられ、各蒸気管（36〜36）には、蒸気流量制御弁（37）が設けられている。各蒸気管（36）の出口端は、蒸気熱交換器（31）に接続されている。
【００５２】
上記蒸気流量制御弁（37）は、全閉可能で且つ開度調節可能な弁に構成されている。蒸気流量制御弁（37）は、各蒸気管（36）を流れる加熱蒸気の流量を調節している。尚、蒸気流量制御弁（37）は、本発明に係る蒸気調節弁を構成している。
【００５３】
上記各蒸気熱交換器（31〜31）は、それぞれ第１〜第５ユニット（11〜15）の恒温槽（17）に配置されている。各蒸気熱交換器（31）は、２つのヘッダ（32,32）と多数の伝熱管（33）とを備え、恒温槽（17）内で起立して配置されている。
【００５４】
各ヘッダ（32,32）は、中空の細長い管状に形成されている。各ヘッダ（32,32）は、互いに間隔をあけ、それぞれの軸方向が鉛直方向となるように上下に延びている。一方のヘッダ（32）には蒸気管（36）の出口端が接続され、他方のヘッダ（32）には蒸気排出ライン（38）の入口端が接続されている。
【００５５】
上記伝熱管（33）は、その断面形状が円形あるいは矩形となっている伝熱管である。複数の伝熱管（33）は、その伸長方向が左右方向となり、その両端部がヘッダ（32,32）の側面に挿入されている。
【００５６】
蒸気熱交換器（31）には、蒸気流量制御弁（37）および後述する水流量制御弁（62）を調節することで、加熱蒸気又は温水の何れか一方が供給されることになる。蒸気熱交換器（31）に蒸気が供給された場合、恒温槽（17）に貯留された水と伝熱管（33）を流れる加熱蒸気との間で熱交換が行われ、貯留された水が加熱される。一方、蒸気熱交換器（31）に温水が供給された場合、恒温槽（17）に貯留された水と伝熱管（33）を流れる温水との間で熱交換が行われ、貯留された水が加熱される。
【００５７】
上記蒸気排出ライン（38）は、その入口端が蒸気熱交換器（31）に接続される一方、その出口端が蒸気トラップ（39）に接続されている。蒸気排出ライン（38）には、フィルタ（60）と、蒸気側バルブ（40）が設けられている。蒸気側バルブ（40）は、電気式のバルブに構成されている。フィルタ（60）は、蒸気熱交換器（31）のコンタミ（錆など）を回収するためのものである。
【００５８】
上記蒸気トラップ（39）は、上記蒸気熱交換器（31）から排出される際に液化せずに残った加熱蒸気の潜熱を回収するものである。蒸気トラップ（39）は、蒸気排出ライン（38）の出口端に接続されている。蒸気トラップ（39）は、セパレータ・トラップに構成されている。この蒸気トラップ（39）では、残ったドレン水のみが排出される。
【００５９】
（ヒートポンプの構成）
上記ヒートポンプ（5）は、図２に示すように、熱媒回路（50）と冷媒回路（70）とを備えている。
【００６０】
上記熱媒回路（50）には、入口端から出口端へ向かって順に、ポンプ（51）と、放熱器（79）と蒸気熱交換器（31）とが設けられている。放熱器（79）と蒸気熱交換器（31）との間は、温水供給ライン（53）および温水戻りライン（55）によって接続されている。熱媒回路（50）では、ポンプ（51）によって送り出された水が、温水戻りライン（55）を流通して放熱器（79）を通過し、温水供給ライン（53）を流通して蒸気熱交換器（31）で熱交換し、再び温水戻りライン（55）から戻ってくるように構成されている。尚、放熱器（79）は、冷媒回路（70）に接続されている。
【００６１】
上記温水供給ライン（53）は、その入口端が放熱器（79）の出口端に接続される一方、その出口側が５つの温水管（54〜54）に分岐している。温水管（54）の出口端は、蒸気管（36）における蒸気熱交換器（31）と蒸気流量制御弁（37）との間に接続されている。各温水管（54）には、それぞれに水流量制御弁（62）が設けられている。この水流量制御弁（62）は、全閉可能で且つ開度調節可能な弁に構成されている。水流量制御弁（62）は、温水管（54）を流れる温水の流量を制御している。尚、水流量制御弁（62）は、本発明に係る温水調節弁を構成している。
【００６２】
上記温水戻りライン（55）は、その出口端が放熱器（79）に接続される一方、その入口端が５つの復温水管（56〜56）に分岐している。温水戻りライン（55）には、エアパージ（57）と、圧力センサ（58）と、逆止弁（59）と、ポンプ（51）とが設けられている。上記復温水管（56）の入口端は、蒸気排出ライン（38）における蒸気熱交換器（31）と蒸気側バルブ（40）との間に接続されている。各復温水管（56）には、温水側バルブ（61）が設けられている。温水側バルブ（61）は、電気式のバルブに構成されている。
【００６３】
上記給水器（90）は、給水管（91）と給水バルブ（92）と逆止弁（93）とを備えている。給水管（91）は、出口端が温水戻りライン（55）のポンプ（51）の吸入側に接続されている。給水バルブ（92）が開かれると、吸水管（18）から温水戻りライン（55）に水（市水）が供給される。給水バルブ（92）は、電気式のバルブに構成されている。
【００６４】
（冷媒回路）
上記冷媒回路（70）には、低段圧縮機（71）と、高段圧縮機（72）と、放熱器（79）と、膨張弁（73）と、蒸発器（80）と、過冷却熱交換器（74）と、インジェクション通路（77）とが接続されるとともに、蒸発器（80）に熱源水を送る熱源管（81）が接続されている。この冷媒回路（70）は、二酸化炭素やフロン系冷媒が充填された閉回路であり、この冷媒回路（70）は、冷媒を循環させることによって蒸気圧縮冷凍サイクルを行う。尚、冷媒回路（70）には、臨界温度が１００℃を大きく超える冷媒（例えば、Ｒ２４５ｆａ）などを用いるようにしてもよい。
【００６５】
上記冷媒回路（70）では、高段圧縮機（72）の吐出側が放熱器（79）に接続され、低段圧縮機（71）の吸入側は蒸発器（80）に接続されている。また、放熱器（79）と蒸発器（80）との間に過冷却熱交換器（74）と膨張弁（73）とが配置されている。
【００６６】
上記高段圧縮機（72）および低段圧縮機（71）は、図示はしないが、全密閉型で構成され、圧縮部とその圧縮部を回転駆動するモータとを収容したケーシングを備えている。ケーシング内は吸入圧力の雰囲気になる、いわゆる低圧ドーム型に構成されている。つまり、各圧縮機（71,72）では、吸入冷媒がケーシング内に流入し、圧縮部で圧縮された冷媒がケーシング内に流出することなく、ケーシング外へ直接吐出される。各圧縮機（71,72）は、運転回転数が可変に構成されている。両圧縮機（71,72）は、互いに直列に接続されて冷媒を二段圧縮するものであり、冷媒の圧縮機構を構成している。
【００６７】
上記蒸発器（80）は、いわゆるプレート式熱交換器により構成されており、互いに仕切られた水流路（80a）と冷媒流路（80b）とを備えている。蒸発器（80）は、水流路（80a）の流体と冷媒流路（80b）の流体との間で熱交換を行うことができるように構成されている。蒸発器（80）では、水流路（80a）が上記熱源管（81）の途中に接続され、冷媒流路（80b）には入口端に膨張弁（73）が接続される一方、出口端に低段圧縮機（71）の吸入側が接続される。
【００６８】
上記放熱器（79）は、いわゆるプレート式熱交換器により構成されており、互いに仕切られた水流路（79a）と冷媒流路（79b）とを備えている。放熱器（79）は、水流路（79a）の流体と冷媒流路（79b）の流体との間で熱交換を行うことができるように構成されている。
【００６９】
上記水流路（79a）は、その入口端が上記熱媒回路（50）の温水戻りライン（55）に接続されていて、蒸気熱交換器（31）で熱交換した温水が流入するようになっている。また、水流路（79a）は、その出口端が上記熱媒回路（50）の温水供給ライン（53）に接続されていて、放熱器（79）で熱交換されて加熱された水（温水）が流出するようになっている。上記冷媒流路（79b）は冷媒回路（70）に接続され、高段圧縮機（72）の吐出側に配置されて、高段圧縮機（72）から吐出された高温高圧の冷媒が流入するようになっている。
【００７０】
放熱器（79）では、高段圧縮機（72）、低段圧縮機（71）及びポンプ（51）をそれぞれ運転させることによって、冷媒流路（79b）を流れる冷媒が水流路（79a）を流れる水に対して放熱し、水流路（79a）を流れる水が加熱され、蒸気熱交換器（31）に温水を供給している。
【００７１】
インジェクション通路（77）は、入口端が放熱器（79）と過冷却熱交換器（74）との間に接続され、出口端が低段圧縮機（71）と高段圧縮機（72）との間に接続されている。インジェクション通路（77）には過冷却弁（78）が設けられている。過冷却弁（78）は、通過する冷媒を減圧すると共に、インジェクション通路（77）を通過する冷媒流量を調節するものである。
【００７２】
過冷却熱交換器（74）は、第１流路（75）と第２流路（76）とを備えている。第１流路（75）は、入口端が放熱器（79）の出口端に接続され、出口端が膨張弁（73）に接続されている。第２流路（76）は、インジェクション通路（77）の途中に接続されている。過冷却熱交換器（74）では、第１流路（75）を流れる高圧冷媒と、過冷却弁（78）で減圧されて第２流路（76）を流れる中間圧冷媒との間で熱交換が行われ、第１流路（75）を流れる高圧冷媒が過冷却される。尚、第２流路（76）を流出した中間圧冷媒は、高段圧縮機（72）の吸入側にインジェクションされる。
【００７３】
−運転動作−
次に、本実施形態１に係る温度制御設備（1）の動作について説明する。本実施形態１に係る温度制御設備（1）では、加熱蒸気に代えて、ヒートポンプ（5）の温水によって恒温槽（17）の水が加熱される。このとき、水流量制御弁（62）は開かれ、蒸気弁（35）および蒸気流量制御弁（37）は閉じられ、蒸気側バルブ（40）は閉じられ、温水側バルブ（61）は開かれている。尚、図１における太線は温水の流れを示している。
【００７４】
（ヒートポンプの運転動作）
まず、冷媒回路（70）では、高段圧縮機（72）から吐出された高温高圧の冷媒が放熱器（79）の冷媒流路（79b）へ流入し、水流路（79a）を流れる水に対して放熱する。放熱器（79）で放熱した高圧冷媒は、一部がインジェクション通路（77）に分岐して過冷却弁（78）で減圧された後、過冷却熱交換器（74）の第２流路（76）に流入する一方、残りが過冷却熱交換器（74）の第１流路（75）に流入する。
【００７５】
過冷却熱交換器（74）では、第１流路（75）の高圧冷媒と第２流路（76）の中間圧冷媒との間で熱交換が行われ、第１流路（75）の高圧冷媒が過冷却される。第２流路（76）を流出した中間圧冷媒は、高段圧縮機（72）に吸入される。
【００７６】
過冷却熱交換器（74）の第１流路（75）を流出した高圧冷媒は、膨張弁（73）を通過する際に減圧されて低圧冷媒となり、蒸発器（80）へ送られ、熱源水から吸熱して蒸発する。蒸発器（80）から流出した低圧のガス冷媒は、低段圧縮機（71）へ吸入される。低段圧縮機（71）は吸入した冷媒を中間圧まで圧縮し、その後、この冷媒は高段圧縮機（72）へ吐出される。高段圧縮機（72）は、吸入した冷媒を高圧まで圧縮し、放熱器（79）の冷媒流路（79b）へ吐出する。
【００７７】
次に、熱媒回路（50）の動作について説明する。熱媒回路（50）を流れる水は、放熱器（79）に流入し、冷媒流路（79b）を流れる高温の冷媒によって加熱されて高温水となる。この水流路（79a）で加熱された水は、ポンプ（51）によって温水供給ライン（53）に供給される。
【００７８】
温水供給ライン（53）に温水が供給されると、温水供給ライン（53）を流れる高温水は、各温水管（54）へ分岐し、それぞれの水流量制御弁（62）を通過し、蒸気管（36）を経て各蒸気熱交換器（31）に供給される。
【００７９】
そして、各恒温槽（17）の水と各蒸気熱交換器（31）を流れる温水との間で熱交換が行われ、恒温槽（17）内の水が加熱される。各恒温槽（17）の水温が中心温度（ＴＭ）である５５℃まで加熱されると、恒温槽（17）内の温水は、吸水ポンプ（19）によって吸水管（18）に送られ噴霧器（20）から半製品（7）に向けて噴霧される。
【００８０】
一方、蒸気熱交換器（31）を通過した温水は、それぞれの復温水管（56）に流出し、温水戻りライン（55）で集合し、ポンプ（51）によってヒートポンプ（5）に回収される。
【００８１】
（温水から蒸気への切換動作）
次に、蒸気熱交換器（31）に対する温水供給を停止し、蒸気供給に切り換える場合について説明する。尚、蒸気熱交換器（31）の蒸気供給は、５台の蒸気熱交換器（31）のすべてについて行ってもよいし、何れか１台ごとに行ってもよい。
【００８２】
蒸気熱交換器（31）に対する供給を温水から蒸気に切り換える場合、まず、温水側バルブ（61）を閉じ、次に、水流量制御弁（62）を閉じて蒸気熱交換器（31）に対する温水の供給を停止する。その後、蒸気側バルブ（40）を開ける。その後、蒸気管（36）の蒸気流量制御弁（37）を開ける。こうすると、蒸気熱交換器（31）に加熱蒸気が流れ込むことで、蒸気熱交換器（31）に溜まった温水が蒸気によって押し出され、蒸気排出ライン（38）を流れて蒸気トラップ（39）に流れる。蒸気トラップ（39）に流れた温水は、ドレン水として排出される。尚、このときの弁やバルブの切換動作は手動で行ってもよいし、自動で行うようにしてもよい。
【００８３】
（蒸気から温水への切換動作）
次に、蒸気熱交換器（31）に対して蒸気供給を停止し、温水供給へ切り換える場合について説明する。尚、蒸気熱交換器（31）への温水供給は、５台の蒸気熱交換器（31）のすべてに行ってもよいし、何れか１台ごとに行ってもよい。
【００８４】
蒸気熱交換器（31）に対する供給を蒸気から温水に切り換える場合、まず、蒸気側バルブ（40）を閉じ、次に、蒸気流量制御弁（37）を閉じて蒸気熱交換器（31）に対する蒸気の供給を停止する。その後、温水管（54）の水流量制御弁（62）の制御を開始すると共に、温水側バルブ（61）を開ける。温水管（54）の水流量制御弁（62）を開けると、蒸気熱交換器（31）に温水供給が行われる。温水側バルブ（61）を開けた後、給水バルブ（92）を開ける。給水バルブ（92）を開けると、給水管（91）から温水戻りライン（55）に給水が開始され、熱媒回路（50）に給水される。ここで、加熱蒸気供給後の蒸気熱交換器（31）に温水を供給する際、蒸気熱交換器（31）に蒸気が残っていると、温水供給ライン（53）および温水戻りライン（55）の温水が不足し、ポンプ（51）に気体が送られることで不具合が発生する場合がある。ところが、本実施形態では、温水戻りライン（55）へ給水するようにしたため、ヒートポンプ（5）で温水加熱する場合において温水が不足するのを防止できる。このため、ポンプ（51）に気体が送られることがない。
【００８５】
その後、圧力センサ（58）の検知圧力の値が所定圧力値（例示として０．１ＭｐａＧ）になると、給水を停止する。尚、給水停止直後に温水戻りライン（55）内の空気などが抜けることにより、圧力センサ（58）での検知圧力値が所定圧力値以下となった場合、再度、給水バルブ（92）を開いて給水を続ける。
【００８６】
また、給水動作については、給水開始から所定時間（例示として１時間）以内は継続して行うが、所定時間よりも長い場合であっても、圧力センサ（58）の検知圧力の値が所定圧力値以下であると、水漏れ以上と判断し、ポンプ（51）、ヒートポンプ（5）および蒸気加熱装置（3）の運転を停止する。このとき、所定の警告（アラーム）を発するようにしてもよい。
【００８７】
上述した弁およびバルブの切換動作は、手動で行ってもよいし、自動で行ってもよい。
【００８８】
−実施形態１の効果−
上記実施形態１によれば、ボイラ（30）の加熱蒸気とヒートポンプ（5）の温水とを切り換えて蒸気熱交換器（31）に供給したため、蒸気熱交換器（31）において加熱蒸気又は温水によって恒温槽（17）内の水を加熱することができる。これにより、既存の蒸気加熱装置（3）に対し、ヒートポンプ（5）を利用することができる。この結果、熱交換器を新たに設置する必要がなく、新たな設備投資を出来る限り抑えつつ、熱効率のよいヒートポンプ（5）による温水加熱を行うことができる。
【００８９】
また、温水供給ライン（53）の出口端を蒸気供給ライン（34）に設けたため、蒸気供給ライン（34）を流れる加熱蒸気と温水供給ライン（53）を流れる温水を蒸気熱交換器（31）の流入側で切り換えることができる。
【００９０】
また、蒸気熱交換器（31）の流出側に温水戻りライン（55）を設けたため、蒸気熱交換器（31）に温水が供給された場合は、蒸気熱交換器（31）で熱交換した温水を温水戻りライン（55）から熱媒回路（50）に戻すことができる。
【００９１】
また、蒸気熱交換器（31）の流出側に蒸気排出ライン（38）を設けたため、蒸気熱交換器（31）に加熱蒸気が供給された場合は、蒸気熱交換器（31）から流出される蒸気又は水を蒸気排出ライン（38）に流出させ、蒸気トラップ（39）からドレン水のみを排出することができる。
【００９２】
また、蒸気熱交換器（31）への供給を温水から加熱蒸気に切り換える際、温水側バルブ（61）を閉じてから蒸気側バルブ（40）を開けるようにしたため、温水戻りライン（55）に蒸気が混入することなく、蒸気熱交換器（31）に残った温水を加熱蒸気によって蒸気排出ライン（38）に流出させることができる。
【００９３】
また、蒸気熱交換器（31）への供給を加熱蒸気から温水に切り換える際、蒸気側バルブ（40）を閉じてから温水側バルブ（61）を開けるようにしたため、蒸気熱交換器（31）で熱交換した温水を蒸気排出ライン（38）から流出させることなく、確実に熱媒回路（50）に戻すことができる。
【００９４】
また、蒸気熱交換器（31）への供給を加熱蒸気から温水に切り換える際、熱媒回路（50）へ給水するようにしたため、ヒートポンプ（5）で加熱する場合の水不足を防止することができる。
【００９５】
〈発明の実施形態２〉
次に、本発明の実施形態２について説明する。図３および図４に示すように、本実施形態２に係る温度制御設備（1）は、実施形態１に係る温度制御設備（1）に対し、恒温槽（17）の水温を検知する水温センサ（22）とコントローラ（6）とをさらに備え、弁およびバルブを自動で切り換えるようにしたものである。尚、本実施形態２では、上記実施形態１とは異なる部分についてのみ説明する。
【００９６】
具体的には、上記水温センサ（22）は、上記各恒温槽（17）に貯留された水に浸漬されて設けられ、水温を検知している。水温センサ（22）は、コントローラ（6）と接続され、恒温槽（17）の水温データは、逐次、コントローラ（6）に対して送信される。
【００９７】
上記コントローラ（6）は、上記水温センサ（22）に加え、水流量制御弁（62）、蒸気流量制御弁（37）、蒸気側バルブ（40）、温水側バルブ（61）および圧力センサ（58）に接続されている。また、コントローラ（6）には、圧力センサ（58）で検知された温水戻りライン（55）内の圧力（水圧）データが逐次送信されている。コントローラ（6）は、恒温槽（17）の水温に基づき、水流量制御弁（62）、蒸気流量制御弁（37）、蒸気側バルブ（40）および温水側バルブ（61）の開度を調節すると共に、温水戻りライン（55）内の水圧に基づき給水器（90）からの給水を制御するものである。具体的な制御方法については後述する。尚、コントローラ（6）は、本発明に係る切換制御部を構成している。
【００９８】
−運転動作−
次に、本実施形態２に係る温度制御設備（1）の動作について図３〜図６に基づいて説明する。この温度制御設備（1）では、コントローラ（6）によって蒸気加熱装置（3）の加熱蒸気とヒートポンプ（5）の温水とを切り換えて蒸気熱交換器（31）に供給し、蒸気熱交換器（31）の伝熱管（33）を流れる加熱蒸気又は温水によって恒温槽（17）に貯留された水を加熱している。
【００９９】
例えば、工場稼働時において温度制御設備（1）を起動させる際、温度制御設備（1）は長時間停止していたため、恒温槽（17）の水温も低下した状態となっている。このような場合、コントローラ（6）は、急速立ち上げモードを行う。
【０１００】
具体的には、図５に示すように、温度制御設備（1）が起動すると、コントローラ（6）は水温センサ（22）から恒温槽（17）の水温を取得する。そして、恒温槽（17）の水温が下限温度（ＴＬ）未満の場合、蒸気熱交換器（31）への供給を加熱蒸気に切り換える（ＳＴ０１）。このとき、コントローラ（6）は、温水側バルブ（61）および水流量制御弁（62）を閉じ、その後、蒸気側バルブ（40）を開く。次に、蒸気弁（35）および蒸気流量制御弁（37）を開く（ＳＴ０２）。
【０１０１】
蒸気加熱装置（3）が稼動し、蒸気供給ライン（34）に加熱蒸気が供給されると、蒸気供給ライン（34）に流れる加熱蒸気は、各蒸気管（36）に分岐し、それぞれの蒸気流量制御弁（37）を通過し、各蒸気熱交換器（31）に供給される。
【０１０２】
そして、各恒温槽（17）に貯留された水と各蒸気熱交換器（31）の加熱蒸気との間で熱交換が行われ、貯留された水が加熱される。このとき、コントローラ（6）は、恒温槽（17）の水温の目標温度を加熱対象の許容される上限温度（ＴＨ）と蒸気温水切換温度（Ｔ１）との間に設定される温度として蒸気流量制御弁（37）を制御する。
【０１０３】
この蒸気温水切換温度（Ｔ１）は、蒸気熱交換器（31）への供給を加熱蒸気から温水に切り換える判断をするための基準温度である。蒸気温水切換温度（Ｔ１）は、下限温度（ＴＬ）および中心温度（ＴＭ＝５５℃）よりも高温で、且つ上限温度（ＴＨ）よりも低温に設定されている。尚、蒸気温水切換温度（Ｔ１）は、本発明に係る第１切換温度を構成している。
【０１０４】
各恒温槽（17）の水温が、中心温度（ＴＭ）である５５℃まで加熱されると、吸水ポンプ（19）が起動し、この恒温槽（17）の温水は、吸水ポンプ（19）によって吸水管（18）に送られて噴霧器（20）から半製品（7）に向けて噴霧される。
【０１０５】
一方、蒸気熱交換器（31）へ供給された加熱蒸気は、恒温槽（17）に貯留された水と熱交換された後、各蒸気排出ライン（38）に流出し、蒸気トラップ（39）によってドレン水のみが排水される。
【０１０６】
コントローラ（6）は、恒温槽（17）の水温が、蒸気温水切換温度（Ｔ１）未満の場合は、継続して蒸気熱交換器（31）に加熱蒸気を供給する（ＳＴ０３）。恒温槽（17）の水温が、蒸気温水切換温度（Ｔ１）以上になると、コントローラ（6）は、蒸気熱交換器（31）への供給を加熱蒸気から温水に切り換える（ＳＴ０４）。
【０１０７】
恒温槽（17）の水温が蒸気温水切換温度（Ｔ１）に到達したら、蒸気熱交換器（31）への供給を温水に切り換えることで、熱効率のよいヒートポンプ（5）による温水加熱を継続させることができる。また、蒸気温水切換温度（Ｔ１）を中心温度（ＴＭ＝５５℃）よりも高くすることで、加熱蒸気から温水への切り換え時におけるヒートポンプ（5）における温水加熱の立ち上がり能力不足によって、恒温槽（17）の水温が、後述する蒸気熱交換器（31）への供給を加熱蒸気に切り換える温水蒸気切換温度（Ｔ２）まで低下してしまうのを防止している。
【０１０８】
このとき、コントローラ（6）は、まず蒸気側バルブ（40）を閉じ、次に、蒸気流量制御弁（37）を閉じ、蒸気熱交換器（31）に対する蒸気の供給を停止する。その後、水流量制御弁（62）を所定量開けると共に、温水側バルブ（61）を開けて、ヒートポンプ（5）での温水加熱を開始する。蒸気熱交換器（31）に温水が供給されると、コントローラ（6）は、中心温度（ＴＭ）を目標温度として水流量制御弁（62）を制御する（ＳＴ０５）。蒸気熱交換器（31）を流れる温水は、恒温槽（17）で熱交換した後、温水戻りライン（55）に流れて再び熱媒回路（50）に戻る。ヒートポンプ（5）が運転を開始し、同時にポンプ（51）が起動した時、給水バルブ（92）も開け、給水管（91）から温水戻りライン（55）に給水が開始され、熱媒回路（50）に給水される。
【０１０９】
ここで、加熱蒸気供給後の蒸気熱交換器（31）に温水を供給する際、蒸気熱交換器（31）に蒸気が残っていると、温水供給ライン（53）および温水戻りライン（55）の温水が不足し、ポンプ（51）に気体が送られることで不具合が発生する場合がある。ところが、本実施形態では、温水戻りライン（55）へ給水するようにしたため、ヒートポンプ（5）で温水加熱する場合において温水が不足するのを防止できる。このため、ポンプ（51）に気体が送られることがない。
【０１１０】
その後、圧力センサ（58）の検知圧力値が所定圧力値（例示として０．１ＭｐａＧ）になると、コントローラ（6）は給水を停止する。尚、給水停止直後に温水戻りライン（55）内の空気などが抜けることにより、圧力センサ（58）での検知圧力値が所定圧力値以下となった場合、再度、コントローラ（6）は給水バルブ（92）を開き、給水を続けさせる。
【０１１１】
また、給水動作については、給水開始から所定時間（例示として１時間）以内は継続して行うが、所定時間よりも長い場合であっても、圧力センサ（58）の検知圧力の値が所定圧力値以下であると、水漏れ以上と判断し、ポンプ（51）、ヒートポンプ（5）および蒸気加熱装置（3）の運転を停止する。このとき、所定の警告（アラーム）を発するようにしてもよい。
【０１１２】
ここで、急な高負荷（温度負荷）によって恒温槽（17）の水温が急激に低下し、温水蒸気切換温度（Ｔ２）未満になって所定時間が経過すると、コントローラ（6）は、蒸気熱交換器（31）への供給を温水から加熱蒸気に切り換える（ＳＴ０５）。恒温槽（17）の水温が温水蒸気切換温度（Ｔ２）未満となってから所定時間を経過させるようにしたため、過度的な温度低下によって、すぐに加熱蒸気の供給に切り換えることがなくなり、熱効率のよいヒートポンプ（5）による温水加熱を増加させることができる。また、温水蒸気切換温度（Ｔ２）未満となった直後に蒸気熱交換器（31）に加熱蒸気を供給することで、恒温槽（17）の水温が急激に上昇するのを防止することができる。尚、この所定時間は、恒温槽（17）の水温が温水蒸気切換温度（Ｔ２）未満となる前の温度低下度合い（温度低下の勾配）が大きい場合に、短くなるように設定されている。つまり、恒温槽（17）の水温が温水蒸気切換温度（Ｔ２）未満となる前の温度低下度合いが大きい場合、恒温槽（17）の水温が下がり易くなるため、所定時間を短くし、蒸気熱交換器（31）に加熱蒸気を供給することによって迅速に加熱を行うようにする。一方、恒温槽（17）の水温が温水蒸気切換温度（Ｔ２）未満となる前の温度低下度合いが小さいと、恒温槽（17）の水温の下がりがゆるやかと判断し、所定時間を長くして、できるだけ熱効率のよいヒートポンプ（5）による温水加熱を継続させるようにする。
【０１１３】
この温水蒸気切換温度（Ｔ２）は、蒸気熱交換器（31）への供給を温水から加熱蒸気に切り換える判断をするための基準温度である。温水蒸気切換温度（Ｔ２）は、下限温度（ＴＬ）よりも高温に設定されている。つまり、温水蒸気切換温度（Ｔ２）を下限温度（ＴＬ）よりも高くすることで、恒温槽（17）の水温が低くなりすぎるのを防止している。尚、温水蒸気切換温度（Ｔ２）は、本発明に係る第２切換温度を構成している。
【０１１４】
このとき、コントローラ（6）は、まず温水側バルブ（61）を閉じ、次に、水流量制御弁（62）を閉じ、蒸気熱交換器（31）に対する温水の供給を停止する。その後、蒸気側バルブ（40）を開け、蒸気流量制御弁（37）を開ける。こうすると、蒸気熱交換器（31）に加熱蒸気が流れ込むことで、蒸気熱交換器（31）の伝熱管（33）に溜まった温水が蒸気によって押し出され、蒸気排出ライン（38）を流れて蒸気トラップ（39）に流れる。蒸気トラップ（39）に流れた温水は、ドレン水として排出される。
【０１１５】
蒸気熱交換器（31）に加熱蒸気が供給されると、コントローラ（6）は、５分間、中心温度（ＴＭ）を目標温度として水流量制御弁（62）を制御し、５分経過すると、目標温度を蒸気温水切換温度（Ｔ１）と上限温度（ＴＨ）の間に設定される温度に切り換える。このようにすることで、過度的な温度低下によって、すぐに加熱蒸気の供給に切り換えることがなくなり、熱効率のよいヒートポンプ（5）による温水加熱を増加させることができる。また、恒温槽（17）の水温の急激な温度上昇を防止すると共に、すぐに温水への切換条件となってしまうことで、弁の切換のハンチングが発生するのを防止している。尚、この５分間は例示であって、これに限られるものではない。そして、５分経過後、恒温槽（17）の水温が蒸気温水切換温度（Ｔ１）以上になると、コントローラ（6）は、再び、蒸気熱交換器（31）への供給を加熱蒸気から温水に切り換える（ＳＴ０３）。
【０１１６】
ここで、恒温槽（17）の水温が温水蒸気切換温度（Ｔ２）未満となった場合、コントローラ（6）は、例えば３分前の恒温槽（17）の水温と現在の恒温槽（17）の水温との温度差が例えば２℃以上の場合、蒸気熱交換器（31）への供給を加熱蒸気に切り換えるようにし、この差が２℃未満であれば、温水蒸気切換温度（Ｔ２）よりもさらに低い温度（Ｔ３）（図示なし）になった場合に、蒸気熱交換器（31）への供給を加熱蒸気に切り換えるようにしてもよい。
【０１１７】
また、蒸気熱交換器（31）への温水供給による温度制御設備（1）の稼動中にデフロスト運転（除霜運転）や各圧縮機（71,72）の油戻し運転などが行われた場合、恒温槽（17）の水温が、たとえ温水蒸気切換温度（Ｔ２）未満であっても、コントローラ（6）は、これらの運転終了を待って、蒸気熱交換器（31）への供給を加熱蒸気に切り換える。
【０１１８】
尚、上記コントローラ（6）による制御は、各恒温槽（17）ごとに行う。
【０１１９】
−実施形態２の効果−
上記実施形態２によれば、コントローラ（6）を設けたため、恒温槽（17）の水温に応じて蒸気熱交換器（31）への温水又は加熱蒸気の供給を切り換えることができる。これにより、恒温槽（17）の水温に応じた適切な加熱を行うことができる。この結果、工場などの温度制御設備（1）において、熱効率のよいヒートポンプ（5）による温水加熱を行う共に、急速な加熱要求にも適切に対応することができる。
【０１２０】
また、恒温槽（17）の水温が下限温度（ＴＬ）未満の場合、蒸気熱交換器（31）に加熱蒸気を供給するようにしたため、加熱蒸気によって恒温槽（17）内の水を迅速に加熱することができる。これにより、工場などの温度制御設備（1）において、熱効率のよいヒートポンプ（5）による温水加熱を行うと共に、急速な加熱要求にも適切に対応することができる。
【０１２１】
また、恒温槽（17）の水温が蒸気温水切換温度（Ｔ１）以上になった場合、蒸気熱交換器（31）に温水を供給するようにしたため、熱効率のよいヒートポンプ（5）による温水加熱を行うことができる。また、蒸気温水切換温度（Ｔ１）を上限温度（ＴＨ）よりも低くすることで、急速な加熱が必要がなくなると、すぐに、熱効率のよいヒートポンプ（5）による温水加熱に切り換わることになる。これにより、工場などの温度制御設備（1）において、熱効率のよいヒートポンプ（5）による温水加熱を増やすことができると共に、急速な加熱要求にも適切に対応することができる。
【０１２２】
また、恒温槽（17）の水温が、下限温度（ＴＬ）よりも高い温水蒸気切換温度（Ｔ２）未満となって所定時間経過した場合、蒸気熱交換器（31）に加熱蒸気を供給するようにしたため、加熱蒸気によって恒温槽（17）の水を迅速に加熱することができる。また、温水蒸気切換温度（Ｔ２）を下限温度（ＴＬ）よりも高くすることで、温水で加熱を続けることにより恒温槽（17）の水温が下限温度（ＴＬ）よりも低くなるのを防止することができる。また、所定時間を経過させるようにしたため、過度的な温度低下によって、加熱蒸気の供給に切り換えることがなくなり、熱効率のよいヒートポンプ（5）による温水加熱を継続させることができる。また、恒温槽（17）の水温が急激に上昇するのを防止することができる。これらにより、工場などの温度制御設備（1）において、熱効率のよいヒートポンプ（5）による温水加熱を増やすことができると共に、急速な加熱要求にも適切に対応することができる。
【０１２３】
さらに、恒温槽（17）の水温が温水蒸気切換温度（Ｔ２）未満となる前の水温低下度合いが大きいほど所定時間を短くしたため、恒温槽（17）の水温低下度合いが大きい場合、迅速に加熱蒸気によって恒温槽（17）の水を加熱することができる。一方、恒温槽（17）の水温低下度合いが小さい場合に温水加熱を継続することができる。この結果、工場などの温度制御設備（1）において、熱効率のよいヒートポンプ（5）による温水加熱を増やすことができると共に、急速な加熱要求にも適切に対応することができる。その他の構成、作用・効果は実施形態１と同様である。
【０１２４】
〈発明の実施形態３〉
次に、本発明の実施形態３について説明する。図７に示すように、本実施形態３に係る温度制御設備（1）は、実施形態１に係る温度制御設備（1）に対し、温水供給のみ可能な構成としたものである。尚、本実施形態３では、上記実施形態１と異なる部分についてのみ説明する。
【０１２５】
具体的には、本実施形態３に係る温度制御設備（1）は、実施形態１に係る温度制御設備（1）から、蒸気熱交換器（31）と蒸気供給ライン（34）と蒸気管（36）の一部と蒸気排出ライン（38）の一部を除く蒸気加熱装置（3）を撤去したものである。また、蒸気側バルブ（40）については、温水の排出を防止するため、蒸気トラップ（39）の手前に配置している。
【０１２６】
本実施形態３に係る温度制御設備（1）は、蒸気熱交換器（31）への供給を加熱蒸気に切り換えることなく、常に温水を供給するようにしたものである。したがって、温度制御設備（1）では、温水戻りライン（55）からエアパージ、圧力センサ、給水器、および逆止弁なども撤去している。その他の構成、作用・効果は実施形態１と同様である。
【０１２７】
〈その他の実施形態〉
本発明は、上記実施形態１〜３について、以下のような構成としてもよい。
【０１２８】
上記実施形態１〜３では、本発明に係る加熱対象として水を用いたが、本発明はこれに限られず、例えば溶剤、空気、その他の流体を用いることができる。
【０１２９】
上記実施形態１〜３に係る温度制御設備（1）は、蒸気加熱装置（3）を備えるようにしたが、本発明はこれに限られず、他の設備で発生させた加熱蒸気を利用してもよい。
【０１３０】
また、上記実施形態１および２について、図８に示すように、蒸気流量制御弁（37）の蒸気の下流側に、電気式のバルブ（41）を設けるようにしてもよい。
【０１３１】
また、上記実施形態１および２について、水流量制御弁（62）、蒸気流量制御弁（37）、温水側バルブ（61）および蒸気側バルブ（40）の手前にコンタミ（錆やスケール）などを除去するフィルタなどを適宜、配置するようにしてもよい。
【０１３２】
また、上記実施形態について、急速立ち上げモードにおける恒温槽（17）の水温の目標温度を上限温度（ＴＨ）としてもよい。
【０１３３】
尚、以上の実施形態は、本質的に好ましい例示であって、本発明、その適用物、あるいはその用途の範囲を制限することを意図するものではない。
【産業上の利用可能性】
【０１３４】
以上説明したように、本発明は、温度制御設備について有用である。
【符号の説明】
【０１３５】
５            ヒートポンプ
６            コントローラ
３０          ボイラ
３１          蒸気熱交換器
３４          蒸気供給ライン
３７          蒸気流量制御弁
３８          蒸気排出ライン
４０          蒸気側バルブ
５３          温水供給ライン
５５          温水戻りライン
６１          温水側バルブ
６２          水流量制御弁
９０          給水器
【図１】
2014009908.tif 000003
【図２】
2014009908.tif 000004
【図３】
2014009908.tif 000005
【図４】
2014009908.tif 000006
【図５】
2014009908.tif 000007
【図６】
2014009908.tif 000008
【図７】
2014009908.tif 000009
【図８】
2014009908.tif 000010
【図９】
2014009908.tif 000011